(57)【要約】【課題】従来の一般的な洗面化粧台においては、残水によるカビやヌメリが発生しないよう頻繁に清掃しなければならないとともに、洗面器上面のスペースが水栓金具によって占有され、物置などに利用できないという問題がある。また水栓金具を鉛直面に構成した洗面化粧台に関しては、水栓金具の位置や高さに可変性を持たせるために、構造が複雑となったり、大きさが大きくなってしまうという問題がある。【解決手段】少なくとも洗面器と該洗面器を載置する台と水栓取付面に回転自在に取付けられる水栓金具とを具備する洗面化粧台において、前記水栓取付面が傾斜または鉛直に構成され、前記水栓金具を回転させた時に水栓金具の吐水部位置の高さが変わるように構成した。【選択図】　図１
2004057273.tif 000002
【特許請求の範囲】
【請求項１】
少なくとも洗面器と該洗面器を載置する台と水栓取付面に回転自在に取付けられる水栓金具とを具備する洗面化粧台において、
前記水栓取付面が傾斜または鉛直に構成され、前記水栓金具を回転させた時に水栓金具の吐水部位置の高さが変わることを特徴とする洗面化粧台。
【請求項２】
前記水栓金具の回転において、水栓金具を奥側に回転させた場合に吐水部位置が下がり、水栓金具を手前側に回転させた場合に吐水部位置が上がることを特徴とする請求項１記載の洗面化粧台。
【請求項３】
前記水栓金具の回転において、水栓金具を奥側に回転させた場合に吐水部位置が上がり、水栓金具を手前側に回転させた場合に吐水部位置が下がることを特徴とする請求項１記載の洗面化粧台。
【請求項４】
前記水栓取付面を有する部材が回転可能であることを特徴とする請求項１から３のいずれかに記載の洗面化粧台。
【請求項５】
前記水栓金具が本体部と吐水部とからなり、吐水部が本体軸に対して、回転することを特徴とする請求項１から４のいずれかに記載の洗面化粧台。
【請求項６】
前記吐水部と前記本体部とが前記本体部の内部に挿通されたシャワーホースにより前記吐水部を着脱自在に構成され、前記吐水部が引き伸ばせることを特徴とする請求項１から５のいずれかに記載の洗面化粧台。
【請求項７】
前記水栓金具の本体部の最も下方となる面に、水抜き穴を設けたことを特徴とする請求項６記載の洗面化粧台。
【発明の詳細な説明】
【０００１】
【発明の属する技術分野】
本発明は洗面化粧台に係り、特に洗面化粧台に設けられる水栓金具の構成を見直すことにより、簡易な構成にて、用途や行為に応じて水栓金具の吐水位置と高さを可変させ、洗浄行為を円滑にすることに好適な洗面化粧台に関するものである。
【０００２】
【従来の技術】
従来の洗面化粧台において、水栓金具は、洗面ボウルの上面に構成される平坦部や傾斜部に設置されるのが一般的である。
【０００３】
また、残水によるカビやヌメリの発生を防止することや使い勝手を良くするために特開平９−２６６８６４のように、シャワーホースに連結したシャワーヘッドを鉛直面に設け、さらに手元へ引き出して使用可能なものなどがある。
【０００４】
また、洗面空間を広くするために、特開２００１−０６１６８５では、洗面器上方のキャビネットの底面に回動自在に水栓を取付けたものがある。
【０００５】
【発明が解決しようとする課題】
従来の一般的な洗面化粧台においては、残水によるカビやヌメリが発生しないよう頻繁に清掃しなければならないとともに、洗面器上面のスペースが水栓金具によって占有され、物置などに利用できないという問題がある。
【０００６】
また、特開平９−２６６８６４においては、水栓金具に水がかかりにくく、また洗面器上面のスペースを有効に利用できるため、洗面器上面に水栓金具を設置する場合に比べ利点が多い。しかも、たとえば洗髪したい時に引き出して第２の支持部にシャワーヘッドを固定すると吐水位置を高くでき洗髪がしやすい。ただし、固定できる支持部が限定されてしまうことや、引き出したまま使用する場合は、両手が使えない。
【０００７】
また、特開２００１−０６１６８５のように回動機構にて左右に回動するものに関しては、ボウル平面上での吐水位置を可変させることができ、使用しない場合には横へ向けることが可能となり、ボウルを広く使用できる。また、昇降機構にて上下に吐水位置を可変できるが、キャビネット内部に昇降のための機構を組み込む必要があり、構成が複雑となるとともに、水栓金具の大きさが大きくなりがちである。
【０００８】
本発明は、上記課題を解決するためになされたもので、本発明の目的は、洗面化粧台に係り、特に洗面化粧台に設けられる水栓金具の構成を見直すことにより、簡易な構成にて、用途や行為に応じて水栓金具の吐水位置と高さを可変させ、洗浄行為を円滑にすることに好適な洗面化粧台を提供することにある。
【０００９】
【課題を解決するための手段及び効果】
上記目的を達成するために本発明は、少なくとも洗面器と該洗面器を載置する台と水栓取付面に回転自在に取付けられる水栓金具とを具備する洗面化粧台において、前記水栓取付面が傾斜または鉛直に構成され、前記水栓金具を回転させた時に水栓金具の吐水部位置の高さが変わることを特徴とする。
【００１０】
この発明によれば、傾斜または鉛直した水栓取付面に水栓金具を取付けるので、昇降機構等複雑な機構を要せずに水栓金具の吐水部位置の高さを変えることができる。
【００１１】
また、本発明の好ましい態様として、前記水栓金具の回転において、水栓金具を奥側に回転させた場合に吐水部位置が下がり、水栓金具を手前側に回転させた場合に吐水部位置が上がることを特徴とする。
手前側に回転させた場合に吐水部位置が上がることで、水栓金具が正面に向いた位置で洗髪に適した吐水高さとし、水栓金具を横に回転させた状態で、水はねが少ない低い吐水高さを得るように構成することができる。
【００１２】
また、本発明の好ましい態様として、前記水栓金具の回転において、水栓金具を奥側に回転させた場合に吐水部位置が上がり、水栓金具を手前側に回転させた場合に吐水部位置が下がることを特徴とする。
手前側に回転させた場合に吐水部位置が下がることで、子供や椅子に座った状態の人が使用しやすい吐水が得られる。
【００１３】
また、本発明の好ましい態様として、前記水栓取付面を有する部材が回転可能であることを特徴とする。
水栓金具を手前側に回転させた場合に上がるか下がるかの選択が、水栓取付面を有する部材自身を回転させることでできるので、構成が容易である。
【００１４】
また、本発明の好ましい態様として、前記水栓金具が本体部と吐水部とからなり、吐水部が本体軸に対して、回転することを特徴とする。
吐水部を本体軸に対して回転できる構成とすることにより、水栓金具を回転させ好みの吐水部の位置・高さにした後にさらに、吐水方向も変えることができる。
【００１５】
また、本発明の好ましい態様として、前記吐水部と前記本体部とが前記本体部の内部に挿通されたシャワーホースにより前記吐水部を着脱自在に構成され、前記吐水部が引き伸ばせることを特徴とする。
吐水位置の高さの変化と、左右方向の位置の移動に加え、さら前後方向も加えた方向への位置変化が可能となり、洗面器上部でかなり広い範囲での吐水が得られる。
【００１６】
また、本発明の好ましい態様として、前記水栓金具の本体部の最も下方となる面に、水抜き穴を設けたことを特徴とする。
ハンドシャワーの出し入れの際にシャワーホース３に付着して水栓本体部２ｂ内に侵入した水滴を、水栓本体部２ｂの外に排出することができる。
【００１７】
【発明の実施の形態】
本発明の好適な実施の例を図１から図１８を用いて説明する。
図１は本発明における洗面化粧台において、特に水栓金具２を手前側に回動させて吐水高さを高くした状態の例を示している。
洗面化粧台は水栓パネル１、水栓金具２、洗面器４、洗面器を載置する台（キャビネット）（図示せず）等から構成される。
ここで、水栓パネル１には水栓取付面１ａが構成され、水栓取付面１ａには水栓金具２を取り付けるための貫通穴１ｂが設けられる。貫通穴１ｂには水栓金具２の基部が挿通され、左右方向に回動自在に固定される。この際、水栓金具２と水栓パネル１との間には、水侵入防止のパッキン５が設けられ、水栓金具２は、水栓パネル１の背面側からナット６等によって固定される。
【００１８】
水栓取付面１ａは、後方下方に傾斜する傾斜角βを有している。これにより、水栓取付面に取り付けられた水栓金具を、左右方向に回動することで、水栓金具２の先端の高さが可変し、吐水高さを変えることができる。
【００１９】
図１では、水栓金具２を手前側に回動させて吐水高さを高くした状態の例を示しているのに対して、図２では、水栓金具２を奥側へ回動させ、吐水高さを低くした状態の例を示している。
【００２０】
また、水栓取付面１ａと水栓金具２の上面との間にできるクリアランス７が、水栓金具２の回動に関わらず一定に保たれるように、水栓取付面１ａと水栓金具２の回動する平面を平行にするのが、回動させる際にガタツキがあった場合でも水栓金具２の上面が水栓取付面１ａにこすることがないので好ましい。
また、水栓取付面１ａと水栓金具２の上面が略平行に構成し、その上で水栓金具２の回動平面と、吐水方向軸１２が９０°で直交するように構成し、かつ吐水角αと水栓パネル１の傾斜角βとを同一にすれば、使用者は水栓金具を回動させても吐水する際に吐水の方向の予測ができ、また、意匠上も好ましいものとなる。
【００２１】
図３は、水栓金具２を奥側に回動させ、さらに、吐水部２ａを水栓金具本体部２ｂに対して回転させた図を示す。
この場合において、水栓金具２の吐水部２ａの最大半径２ｈが前記クリアランス７を越えないように構成すれば、吐水部２ａを回転させた際に水栓取付面１ａにこすることがないので好ましい。
水栓金具２を手前側に位置させ、吐水部２ａを回転させた状態で奥側に回動させた場合も水栓取付面１ａにこすることがない。
この最大半径２ｈがクリアランス７を越えないようにする構成によって、水栓金具２を回動させ好みの吐水位置・高さにした後にさらに、吐水方向も変えることができる。
【００２２】
図４は、シャワーホース付の例を示す。
水栓金具２は吐水部２ａと本体部２ｂからなり、水栓パネル１の内部から本体部２ｂの内部にかけてシャワーホース３が挿通され、シャワーホース３は吐水部２ａに固定されるようにする。この構成により水栓金具２は、吐水部２ａが引き出し可能なので、ハンドシャワーとして使用することができる。
また上記構成において、水栓金具２の本体部２ｂの最も下方となる面に、水抜き穴２ｃを設けることにより、ハンドシャワーの出し入れの際にシャワーホース３に付着して水栓本体部２ｂ内に侵入した水滴を、水栓本体部２ｂの外に排出することができる。この場合に水抜き穴２ｃから排出された水滴が洗面器４内に流れるよう、水栓金具２と洗面器４の配置を水抜き穴２ｃが洗面器４のボウルの範囲内に位置するように構成するとよい。
さらに、水栓本体部２ｂの根元付近で、水栓パネル１の貫通穴１ｂより内側に構成される部分については、シャワーホース３の通路の後方に切欠き部２ｄを設け、またＲ部２ｅを構成すると、シャワーホース３の引き出し、引き込みを円滑に行うことができる。
【００２３】
図５は、水栓金具の高さと位置の変動関係を図式した側方断面図である。
この時、鉛直面と吐水方向のなす角度を吐水角α、水平面と水栓取付け面１ａの傾斜角β、水栓傾斜角θ、水栓長さＬ、壁面９からの上昇時水栓前出寸法ｘ１、下方時水栓前出寸法ｘ２、水栓前出変位量ｘ３、洗面器４のあふれ面４ａからの上昇時水栓高ｙ１、下方時水栓高ｙ２、水栓高変位量ｙ３で表すとする。
吐水角αと水栓取付け面１ａの傾斜角βが同じ場合には、水栓傾斜角θ＝α＝βで表すことができる。
また、水栓前出変位量ｘ３＝上昇時水栓前出寸法ｘ１−下方時水栓前出寸法ｘ２＝Ｌｃｏｓθで表される。
同様に、水栓高変位量ｙ３＝上昇時水栓高ｙ１−下方時水栓高ｙ２＝Ｌｓｉｎθで求められる。
【００２４】
図６は、吐水高さを更に確保するための例を示す。
吐水高さを更に確保するため吐水部２ａと本体部２ｂの間に伸縮部材１０を設けるようにする。この構成によれば、水栓金具２の水栓長さＬを短く構成した場合においても、伸縮部材１０が伸びることにより、より高く、より手前側に吐水部２ａを引き出すことができる。
この伸縮部材１０がパイプ状のものである場合は、吐水部２ａを戻す際に本体部２ｂに内包されるように構成するのが好ましい。
【００２５】
また、図７に示すように、水栓金具２を奥側に回転させた状態で、洗面器４の左右方向の中央に吐水部２ａが配置されるように構成し、また、図８に示すように、水栓金具２が正面に向いた位置では、左右どちらかの方向に水栓金具２の水栓金具長さＬ分（吐水口の中心から水栓金具の回転中心距離）だけ吐水部２ａがオフセットされるようにすれば、通常の低い吐水の場合は、洗面化粧台の中央から吐水されるので、使用者は洗面化粧台の真正面に自然な位置で立って使用することができ、また、洗髪時には、吐水部２ａの位置が左右どちらかにオフセットされるので、頭を洗面器の中へ入れた状態で水栓金具２と頭とが干渉せず、洗面器４と吐水部２ａの間を広く取ることができる。また、図８（２）のように水栓金具２の吐水部２ａを回転させ洗面器の中心側に向けると使い易い。
【００２６】
これまで水栓取付面が水栓パネルに傾斜状に構成されている例を示してきたが、パネルまたは洗面器の鉛直面、あるいは、オーバーハング状に設けられた棚部の裏面、あるいは、水栓金具を取付ける別部材に水栓取付面を構成してもよい。
【００２７】
図９は水栓取付面を洗面器４ボウル面側後方のパネルの鉛直面上に構成し、さらに水栓金具２が奥側にある状態を示している。この場合、吐水部の高さは低くなる。
図１０は、図９の水栓金具２が手前側にある状態を示し、吐水部の高さは高くなる。
図１１および図１２は、それぞれのＱ視正面図である。
【００２８】
本実施例における水栓金具２は、洗面器４後方のパネルの垂直部と斜め後方の傾斜部とで形成される凹部１ｃに略沿う屈曲部２ｆを有し、回動自在に取り付けられている。こうすると水栓金具が奥側に回転させた場合に、水栓金具２の屈曲部２ｆと洗面器の凹部１ｃとの納まりが良く意匠性が向上する。
また、水栓取付面はパネルに限定されるものではなく、洗面器側後方の面に取付けてもよい。
【００２９】
図１３および図１４には、オーバーハング状に形成された棚部の裏面に水栓取付面を手前側が下がる傾斜状に構成し、水栓金具２を取付けた例を示す。
図１３に示すように水栓金具を手前側に回動すると吐水部２ａの高さが低くなり、図１４に示すように水栓金具を奥側に回動すると吐水部２ａの高さが高くなる。
この実施例の場合のように、水栓金具２を手前側に回動し吐水部２ａの高さを低くすることによって、子供や椅子に座った状態の人が使用しやすい吐水が得られる。
【００３０】
図１５、図１６、図１７には、別部材のスペーサー傾斜面１０ａに水栓金具２が取り付けられている例を示す。
図１５および図１６は、水栓取付け面を下方面に構成し、図１７は水栓取付け面１ａを鉛直面に構成している。
本実施例においては、水栓取付け面１ａに、スペーサー１３を取付け、さらにスペーサー１３のスペーサー傾斜面１３ａに水栓金具２が取り付けられている。スペーサー１３は水栓取付け面１ａに対して回動可能であり、かつ任意の回動角にて回動を規制する手段を備え固定できるものが好ましい。
そして、水栓金具２はスペーサー傾斜面１３ａに対し回動自在に取り付けられる。
この構成により、水栓金具２を手前側に回転させた場合に上がるか下がるかの選択が、スペーサー１３自身を回転させることでできるので、構成が容易である。
【００３１】
即ち図１５のようにスペーサー傾斜面１３ａを手前側が高くなるように構成すれば、水栓金具２は手前側に回動した場合に吐水高さを高く、奥側に回動した場合に吐水高さを低く構成することができる。
図１６は図１５とは逆の例を示している。
また図１７は、水栓取付け面１ａ鉛直面に構成した例であるが、この場合にも水栓金具２の回動による吐水高さの高低をスペーサー１３の回転により選択することができる。
【図面の簡単な説明】
【図１】本発明における洗面化粧台において、特に水栓金具２を手前側に回動させて吐水高さを高くした状態の例を示す側方断面図である。
【図２】水栓金具２を奥側に回動させて吐水高さを低くした状態の例を示す側方断面図である。
【図３】水栓金具２を奥側に回動させて吐水高さを低くし、かつ吐水方向を上向きにした状態の例を示す側方断面図である。
【図４】吐水部をシャワーヘッドとして引き出した状態を示す側方断面図である。
【図５】水栓金具の高さと位置の変動関係を図式した側方断面図である。
【図６】吐水高さを更に確保するための伸縮部材を設けた状態を示す側方断面図である。
【図７】吐水部を洗面器の左右方向の中央に配置した正面図である。
【図８】水栓金具を起立させ吐水部を回転させた状態を示した正面図である。
【図９】他の一実施例において水栓金具を奥側へ配置した状態を示す平面図である。
【図１０】水栓金具を手前側へ回転させた状態を示す平面図である。
【図１１】水栓金具を奥側へ回転させた状態を示すＱ視正面図である。
【図１２】水栓金具を手前側へ回転させた状態を示すＱ視正面図である。
【図１３】水栓金具を手前側に配置した状態を示す側面図である。
【図１４】水栓金具を奥側に配置した状態を示す側面図である。
【図１５】水栓金具を傾斜面を有する部材に取付けた一例を示す側面図である。
【図１６】傾斜面を有する部材を回転させた例を示す側面図である。
【図１７】傾斜面を有する部材を用いたさらに別の一例を示す側面図である。
【図１８】従来例の洗面化粧台の水栓金具の取付け状態を示す側面図である。
【図１９】従来例の洗面化粧台の水栓金具の取付け状態を示す側面図である。
【図２０】従来例の洗面化粧台の水栓金具の取付け状態を示す側面図である。
【符号の説明】
１…水栓パネル、１ａ…水栓取付け面、１ｂ…貫通穴、１ｃ…凹部、２…水栓金具、２ａ…吐水部、２ｂ…本体部、２ｃ…排水穴、２ｄ…切欠部、２ｅ…Ｒ部、２ｆ…屈曲部、２ｈ…吐水部の最大半径、３…シャワーホース、４…洗面器、４ａ…あふれ面、５…パッキン、６…ナット、７…クリアランス、８…ミラーパネル、９…壁面、１０…伸縮部材、１１…回動軸、１２…吐水方向軸、１３…スペーサー
α…吐水角、β…傾斜角、θ…水栓傾斜角、Ｌ…水栓長さ
ｘ１…上昇時水栓前出寸法、ｘ２…下方時水栓前出寸法、ｘ３…水栓前出変位量
ｙ１…上昇時水栓高、ｙ２…下方時水栓高、ｙ３…水栓高変位量
Ｐ…水栓取付け面目視方向１、Ｑ…水栓取付け面目視方向２
【図１】
2004057273.tif 000003
【図２】
2004057273.tif 000004
【図３】
2004057273.tif 000005
【図４】
2004057273.tif 000006
【図５】
2004057273.tif 000007
【図６】
2004057273.tif 000008
【図７】
2004057273.tif 000009
【図８】
2004057273.tif 000010
【図９】
2004057273.tif 000011
【図１０】
2004057273.tif 000012
【図１１】
2004057273.tif 000013
【図１２】
2004057273.tif 000014
【図１３】
2004057273.tif 000015
【図１４】
2004057273.tif 000016
【図１５】
2004057273.tif 000017
【図１６】
2004057273.tif 000018
【図１７】
2004057273.tif 000019
【図１８】
2004057273.tif 000020
【図１９】
2004057273.tif 000021
【図２０】
2004057273.tif 000022